(57)【要約】 【課題】  泥棒はガラスを破壊し、室内側からドライバーを用いて錠前の内側座板を取れ外そうとしても、内側座板を簡単に取り外すことができないようにすること。【解決手段】  固着具用小孔が形成されていると共に他端部内壁面に一方の水平ネメジ杆が突出形成されている内側座板と、固着具用小孔と符合する他方の水平メネジ杆を一端部に有すると共に一方の水平ネメジ杆と符合する小孔を他端部に有する内側フロント板とを備え、内側座板及び内側フロント板は、戸を介して内側座板の固着具用小孔から差し込まれかつ内側フロント板の他方の水平メネジ杆に螺合する第１固着具と、内側フロント板の小孔から差し込まれかつ内側座板の一方の水平ネメジ杆に螺合する第２固着具とで固定されていること。【選択図】  図１
2005307636.tif 000002
【特許請求の範囲】
【請求項１】
一端部に固着具用小孔１４が形成されていると共に他端部内壁面に一方の水平ネメジ杆１８が突出形成されている内側座板４と、前記固着具用小孔１４と符合する他方の水平メネジ杆１８Ａを一端部に有すると共に前記一方の水平ネメジ杆１８と符合する小孔１４Ａを他端部に有する内側フロント板１６とを備え、前記内側座板４及び内側フロント板１６は、戸１を介して前記内側座板４の固着具用小孔１４から差し込まれかつ前記内側フロント板１６の他方の水平メネジ杆１８Ａに螺合する第１固着具２１と、前記内側フロント板１６の小孔１４Ａから差し込まれかつ前記内側座板４の一方の水平ネメジ杆１８に螺合する第２固着具２１Ａとで固定されていることを特徴とする錠前の内側座板の取付け構造。
【請求項２】
請求項１に於いて、表示窓２３を有する内側座板４の収納空間２２には、係止部３２を有する可動の施・解錠状態識別部材８が組み込まれており、前記係止部３２には、錠前の内側錠機構を構成する作動板９の連結棒１２が分離可能に係止することを特徴とする錠前の内側座板の取付け構造。
【請求項３】
ピン状調整具２９を内側引戸１の内側座板４乃至内側フロント板１６の各調整孔２８ａ〜２８ｄに差込み、内側ケース部材３に対する内側座板４の位置決めをする内側座板位置決め工程Ａと、外側引戸２に固定的に取り付けられた外側ケース部材５に対して前記ピン状調整具を外側ケース部材の外側フロント板１６Ａの調整孔２８ｅにも差し込む内側ケース部材位置合わせ工程Ｂと、一端部に固着具用小孔１４が形成され、一方、他端部内壁面に一方の水平ネメジ杆１８が突出形成されている前記内側座板４の少なくとも一方の水平メネジ杆１８を内側ケース部材３の支持孔１９に嵌入すると共に、第１固着具２１を前記小孔１４に差込み、内側フロント板１６の一端部に突出形成した他方の水平メネジ杆１８Ａに螺合する内側座板仮止め工程Ｃと、内側フロント板１６の他端部に形成された小孔１４Ａに第２固着具２１Ａを差込み、内側座板４の前記一方の水平メネジ杆１８に螺合する内側座板完全止め工程Ｄとを備える錠前の内側座板の取付け方法。
【発明の詳細な説明】
【技術分野】
【０００１】
本発明は、錠前の内側座板の取付け構造及びその取付け方法に関する。
【背景技術】
【０００２】
特許文献１には、ドアを挟むように錠前の内側座板と外側座板が固定されている。普通一般に、内側座板を戸（例えば引戸）の内壁面に固定する場合には、内側座板の上下に固着具用の貫通小孔を一対形成し、一方、内側座板に対して戸の外壁面側に対向するフロント板（特許文献１では外側座板に相当）の上下に水平メネジ杆を突設している。
【０００３】
上記錠前の内側座板の取付け構造又はその取付け方法に於いては、内側座板の貫通小孔から固着具をそれぞれ差込み、フロント板の水平メネジ杆に固着具をそれぞれ螺合させることから、例えば泥棒はガラスを破壊し、室内側からドライバーを用いて上下の固着具を取り外す可能性が残っている。
【０００４】
したがって、不正解錠を防止するために、内側座板を簡単に取り外すことができないように工夫する必要がある。また、戸の中でも、特に引き違い戸の錠前の場合には、内側引戸と外側引戸召し合わせ部分（縦框）に内外の錠ケース、内外の座板などをそれぞれ取り付けるが、その際、内側座板の位置決めを室内側からも自由にできることが要望されている。
【特許文献１】特開２００４−２７５９３号公報
【発明の開示】
【発明が解決しようとする課題】
【０００５】
本発明の第１の目的は、泥棒はガラスを破壊し、室内側からドライバーを用いて錠前の内側座板を取れ外そうとしても、内側座板を簡単に取り外すことができないようにすることである。第２の目的は、引き違い戸の錠前の場合に於いて、内側座板の位置決め（位置出し）を室内側からも自由にできることである。第３の目的は、「おでかけ」の際に錠前の「施錠状態」を確認することができる錠前の施・解錠状態確認装置を、内側座板を利用して合理的に設けることである。
【課題を解決するための手段】
【０００６】
本発明の錠前の内側座板の取付け構造は、一端部に固着具用小孔１４が形成されていると共に他端部内壁面に一方の水平ネメジ杆１８が突出形成されている内側座板４と、前記固着具用小孔１４と符合する他方の水平メネジ杆１８Ａを一端部に有すると共に前記一方の水平ネメジ杆１８と符合する小孔１４Ａを他端部に有する内側フロント板１６とを備え、前記内側座板４及び内側フロント板１６は、戸１を介して前記内側座板４の固着具用小孔１４から差し込まれかつ前記内側フロント板１６の他方の水平メネジ杆１８Ａに螺合する第１固着具２１と、前記内側フロント板１６の小孔１４Ａから差し込まれかつ前記内側座板４の一方の水平ネメジ杆１８に螺合する第２固着具２１Ａとで固定されていることを特徴とする。
【０００７】
また本発明の錠前の内側座板の取付け方法は、ピン状調整具２９を内側引戸１の内側座板４乃至内側フロント板１６の各調整孔２８ａ〜２８ｄに差込み、内側ケース部材３に対する内側座板４の位置決めをする内側座板位置決め工程Ａと、外側引戸２に固定的に取り付けられた外側ケース部材５に対して前記ピン状調整具を外側ケース部材の外側フロント板１６Ａの調整孔２８ｅにも差し込む内側ケース部材位置合わせ工程Ｂと、一端部に固着具用小孔１４形成され、一方、他端部内壁面に一方の水平ネメジ杆１８が突出形成されている前記内側座板４の少なくとも一方の水平メネジ杆１８を内側ケース部材３の支持孔１９に嵌入すると共に、第１固着具２１を前記小孔１４に差込み、内側フロント板１６の一端部に突出形成した他方の水平メネジ杆１８Ａに螺合する内側座板仮止め工程Ｃと、内側フロント板１６の他端部に形成された小孔１４Ａに第２固着具２１Ａを差込み、内側座板４の前記一方の水平メネジ杆１８に螺合する内側座板完全止め工程Ｄとを備えることを特徴とする。
【発明の効果】
【０００８】
（１）泥棒は戸のガラスを破壊し、室内側からドライバーを用いて錠前の内側座板を取れ外そうとしても、内側座板を簡単に取り外すことができない。それは、内側座板を固定する第１固着具２１を外しても、フロント板側から前記第１固着具２１とは反対方向から内側座板の一方の水平メネジ杆１８に螺合している第２固着具２１Ａを外さない限り、内側座板４が容易に内側ケース部材３から外れないからである。したがって、本発明は、特に第２固着具２１Ａが外側引戸の縦框によりカバー状態となる「引き違い戸」に有効的である。
【０００９】
（２）引き違い戸の錠前の場合に於いて、内側座板の位置決め（位置出し）を室内側からも自由にできることである。それは、ピン状調整具２９を内外のケース部材３．５に差込んだ状態に於いて、１本の第１固着具２１を用いて内側座板４を仮止めすることができるからである。
【００１０】
（３）請求項２に記載の発明は、「おでかけ」の際に錠前の「施錠状態」を確認することができる錠前の施・解錠状態確認装置の可動の施・解錠状態識別部材８を、内側座板の収納空間２２に合理的に組み込むことができる。
【発明を実施するための最良の形態】
【００１１】
以下、図１乃至図８に示す本発明を実施するための最良の形態により説明する。
【００１２】
（１）発明の実施の環境
図１は発明の実施の環境を示す概略説明図である。図１に於いて、Ｘは錠前の内側座板の取付け構造、一方、Ｙは錠前の施・解錠状態確認装置である。錠前の内側座板の取付け構造Ｘ並びに施・解錠状態確認装置Ｙは、望ましくは引き違い戸に取付けられているが、引戸全般に適宜に取付けても良い。
【００１３】
１は内側引戸で、この内側引戸１は、例えば外側引戸２に対して召し合わせ可能にサッシ型戸枠内に設けられている。召し合わせタイプの錠前は、普通一般に召し合わせ部分（縦框）に錠ケースや座板が取り付けられている。本実施例の錠ケース、座板も同様である。
【００１４】
すなわち、３は硬質防御板を有する内側ケース部材、４は内側引戸１或いは内側ケース部材３に固定的に取り付けられた内側座板である。一方、５は外側ケース部材、６は外側ケース部材に固定的に取り付けられた外側座板である。
【００１５】
以下、本発明の基本的な構成部材を中心に説明するので、外側ケース部材５、外側ケース部材５に組み込まれた外側錠機構、外側座板６など本発明の特定要件に直接関係のない具体的な事項や細部的な事項は、図面及びその説明を割愛する。
【００１６】
（２）基本的な構成部材
錠前の内側座板の取付け構造Ｘ並びに施・解錠状態確認装置Ｙの基本的な構成部材は、図１乃至図３に示されている。すなわち、１は戸の一例である内側引戸、３は内側ケース部材、４は内側座板、７は内側座板４乃至内側ケース部材３に組み込まれた内側シリンダー錠、８は内側座板４に上下動自在に設けられた施・解錠状態識別部材、９は内側ケース部材３に設けられた錠前の内側錠機構を構成する作動板、１０は作動板９に作動軸１３を介して連係されかつ内側ケース部材３側の固定支軸１１に軸支された施錠片（例えば鎌片）、１２は施・解錠状態識別部材８に係脱可能な作動板９の連結棒、１４は前記内側座板４の一端部に形成された固着具２１用小孔、一方、１８は内側座板４の他端部内壁面に突出形成された一方の水平ネメジ杆、１６は内側引戸１の外壁面に固定されるフロント板（化粧板の場合も含む）、１８Ａは内側フロント板１６の一端部内壁面に突出形成されかつ前記内側座板４の第１固着具２１用小孔１４と符合する他方の水平ネメジ杆、１４Ａはフロント板の他端部に形成されかつ前記内側座板４の水平ネメジ杆１８と符合する第２固着具２１Ａ用小孔、２８ａ〜２８ｄは内側座板４、硬質防御板１７、ケース本体１５及び内側フロント板１６にそれぞれ水平ラインＬ上に揃うことができるように形成された小孔状の調整孔、２９はこれらの調整孔２８ａ〜２８ｄに差込み可能なピン状調整具である。
【００１７】
（３）内側ケース部材３
内側ケース部材３は、内框の開口部に内装されたケース本体１５（ケース身、ケース蓋など）と、このケース本体１５の屋外側端面側に固定された内側フロント板１６と、ケース本体１５の屋内側の端面あるいは壁面側に間隙を有して又有さないで固定的に設けられた枠状硬質防御板１７とから構成されている。
【００１８】
本実施例では、内側フロント板１６及び硬質防御板１７は、浸炭焼き入れされている。またケース本体１５及び内側フロント板１６の下端部には、鎌片１０が出入りする鎌片用開口が形成されている。さらに、ケース本体１５や内側フロント板１６の適宜箇所には、図示しない外側錠機構用の開口、内側のシリンダー錠７用の嵌合孔、作動板９の連結棒用の切欠部、固着具用の貫通孔などがそれぞれ形成されている（一部符号略）。
【００１９】
ところで、前記硬質防御板１７は、例えば内側座板４の上下の水平メネジ杆１８，１８ないしケース本体１５を全体的にカバーすることができるように枠状（例えば一側壁開口のケース状）に形成されている。したがって、硬質防御板１７は、室内側の後壁１７ａ、上壁１７ｂ、下壁１７ｃ、左右の側壁１７ｄを有する。それ故に、前記後壁１７ａの中央部の上下端部には、内側座板４の一方の水平メネジ杆１８と及び内側座板４の第１固着具２１用小孔１４の一部を形成する短筒状の嵌合突起３０がそれぞれ嵌入する１対の支持孔１９．１９が形成されている。また後壁１７ａには、作動板９が上下動する関係上、その連結棒用の案内切欠部２０が形成されている（図１参照）。
【００２０】
（４）内側座板４
内側座板４は、図４で示すように、縦長状の板体であり、前述したように、内側座板４の一端部に第１固着具２１用小孔１４形成され、一方、他端部内壁面に一方の水平ネメジ杆１８が突出形成されている。そして、前記小孔１４の一部を形成する短筒状の嵌合突起３０は、内側座板４の一端部内壁面に形成されている。
【００２１】
また内側座板４は、内側に施・解錠状態識別部材８の上下動を許容する収納空間２２を有している。また、内側座板４の中央部（中央部寄りの部位も含む）には、収納空間２２と連通する小孔状の表示窓２３が形成されている。この表示窓２３から施・解錠状態識別部材８に直接又は間接的に設けられた施錠状態又は解錠状態を示す識別標識部（文字、色彩、模様、図柄、蛍光色表示、蓄光表示など）３１が見える。さらに、小孔１４と収納空間２２の間の適宜部位には、前述した調整孔２８ａが形成されている。
【００２２】
（５）内側のシリンダー錠７
内側錠機構は、普通一般に、内側座板に上下方向にスライド自在に設けられたサムターン摘み部材と、このサムターン摘み部材の操作力により上下動するようにケース本体内に設けられた作動板と、この作動板に連係するように錠箱に軸支された鎌片とからなるが、本実施例では、サムターン摘み部材は存在しない反面、内側のシリンダー錠７と、この内側シリンダー錠７の出力（駆動力）により動力伝達部材２５を介してケース本体１５内を上下動する作動板９と、この作動板９に連係するようにケース本体１５に軸支された鎌片１０とから成る（図１参照）。
【００２３】
しかして、前記動力伝達部材２５は、内側シリンダー錠７の出力軸７ａに固定されたピニオン２６及び該ピニオン２６に噛合するように作動板９の上端部に設けられたラック２７とから成る。
【００２４】
したがって、内側シリンダー錠７に合鍵を差し込んで操作すると、その出力軸７ａが所定量回転するから、作動板９は動力伝達部材２５を介して施・解錠方向へと上下動する。これにより、鎌片１０はケース本体側の固定支軸１１を支点に回転すると共に、作動板９と共に施・解錠状態識別部材８も所定方向へ一緒に移動する。
【００２５】
（６）施・解錠状態識別部材８
図２には施・解錠状態識別部材８の縦断面、図３には施・解錠状態識別部材８の斜視図が示されている。また図７及び図８には、施・解錠状態識別部材と作動板９との係脱関係が示されている。これらの各図から明らかなように、本実施例の施・解錠状態識別部材８は、一側壁開口のケース状に形成され、内側座板４の収納空間２２に余裕を持って嵌合支持されている。施・解錠状態識別部材８は、内側座板４の収納空間２２を上下方向に摺動するので、その形態は、望ましくは、収納空間２２の内壁面にスムースに案内されるように形成する。
【００２６】
しかして、３１は収納空間２２を形成する垂直内壁面２２ａに沿う垂直壁状の識別標識部で、本実施例では、識別標識部３１の下方半分に所要長さの赤色シール３１ａを貼付している。識別標識部３１の表示態様は、文字、色彩、模様、図柄、蛍光色表示、蓄光表示などを任意に採用することができる。３２は識別標識部３１の内壁面の略中央部から水平状態に延びる弾性係止部で、この弾性係止部３２は、例えば対向内面を係止面とする一対の板状係止腕３３．３３を採用している。弾性係止部３２の形態については、特に問わないが、作動板９の連結棒１２が所定寸法の間隙３５から係合する際に該連結棒１２が係止面に圧接し、その結果、弾性係止部３２が材質自体により外拡変位する形状であれば良い。弾性係止部３２の板状係止腕３３．３３は、弾性変形機能と弾性復帰機能を有する。
【００２７】
（７）作動板９
長板状作動板９の形状については特に問わないが、作動板９には、前述したように動力伝達部材２５のラック２７が設けられ、また施・解錠状態識別部材８の弾性係止部３２と係脱可能な水平状連結棒１２が、施・解錠状態識別部材８の内部空間３４に入り込むように突出して設けられている。さらに、下端部に鎌片１０の係合孔と係合する作動軸１３が設けられている。鎌片１０の具体的構成は公知事項なので、詳細な説明を割愛する。  
【００２８】
（８）内側座板４と内側フロント板１６との結合
図２、図９で示す内側座板４と内側フロント板１６とを結合する工程（方法の発明）は、「錠前の内側座板の取付け方法」の一例である。
【００２９】
すなわち、Ａは、ピン状調整具２９を内側引戸１の内側座板４乃至内側フロント板１６の各調整孔２８ａ〜２８ｄに差込み、内側ケース部材３に対する内側座板４の位置決めをする内側座板位置決め工程である。この場合、内側ケース部材３を内側引戸１に先に取り付けたか否かを問わず、少なくとも内側座板４を内側ケース部材３の後壁１７ａに添設状態にし、かつ、ピン状調整具２９の細長い棒状先端部を内側座板４の調整孔２８ａを介して内側ケース部材３の調整孔２８ｂへと差し込めば、内側ケース部材３に対する内側座板４の位置決めができる。
【００３０】
次にＢは、外側引戸２に固定的に取り付けられた外側ケース部材５に対して前記ピン状調整具２９を外側ケース部材５の外側フロント板１６Ａの調整孔２８ｅにも差し込む内側ケース部材位置合わせ工程である。外側ケース部材５は、外側引戸２の縦框に予め取り付けられている。本発明の方法では、内側ケース部材３や内側座板４が外側ケース部材５よりも先に内側引戸１に固定されることはない。それは、外側ケース部材５の取付け箇所を基準にして、最終的には室内側から内側座板４の位置決めをしながら内側引戸１の内壁面に該内側座板４を固着するからである。
【００３１】
次にＣは、図２で示すように、一端部に第１固着具用小孔１４が形成され、一方、他端部内壁面に一方の水平ネメジ杆１８が突出形成されている前記内側座板４の少なくとも一方の水平メネジ杆１８を内側ケース部材３の支持孔１９に嵌入すると共に、第１固着具２１を前記小孔１４に差込み、内側フロント板１６の一端部に突出形成した他方の水平メネジ杆１８Ａに該第１固着具２１を螺合する内側座板仮止め工程である。このようにすると、１本の固着具だけを内側座板４に差込み、室内側から内側座板４の位置出しを簡単に行うことができる。従来のように、内側座板側から２本の固着具をそれぞれ差込み螺合すると、室内側からの内側座板４の位置出しが非常に困難となるが、本発明の方法では、この欠点を解消することができる。
【００３２】
次にＤは、内外の引戸のいずれかを適宜に引き、内側フロント板１６の他端部に形成された小孔１４Ａに第２固着具２１Ａを差込み、内側座板４の前記一方の水平メネジ杆１８に該第２固着具２１Ａを螺合する内側座板完全止め工程である。
【００３３】
（９）施・解錠状態識別部材８と作動板９との係合・分離
ここで、図７及び図８を参照にして施・解錠状態確認装置Ｙの作用について説明する。施・解錠状態識別部材８は、一旦、該施・解錠状態識別部材８の弾性係止部３２に作動板９の連結棒１２が係合すると、作動板９に一体的に係合する。したがって、内側座板４乃至内側ケース部材３に組み込まれた内側シリンダー錠７に合鍵を差し込んで操作した場合には、作動板９と共に施・解錠状態識別部材８も一緒に移動する（図７）。したがって、内側座板４の表示窓２３から目視すると、その識別標識部３１により錠前の施・解錠状態を判別することができる。
【００３４】
これに対して、仮に泥棒が内側引戸１のガラスを破壊して室内側から施・解錠状態識別部材を解錠方向へと操作した場合には、内側錠機構を構成する部材（少なくとも作動板及び動力伝達機構を構成する部材の重量）よりも軽い施・解錠状態識別部材８は、弾性係止部３２の係止力がある限界を越えると弾性変位して連結棒１２から分離する（図８）。
したがって、室内側から施・解錠状態識別部材８を介して作動板９を解錠方向へと動かすことができない。換言すれば、本実施例ではサムターンは存在しないが、表示板８を操作して内側シリンダー錠７を解錠状態にすることはできない。
【実施例】
【００３５】
内側座板仮止め工程Ｃに於いて、内側座板４の内壁面に嵌合突起３０が形成されていない場合には、第１固着具２１を直接内側ケース部材３の支持孔１９に差し込むことになる。
【００３６】
なお、本発明の従属項に関連する事項として、施・解錠状態識別部材８の弾性係止部３２を「磁性体の係止部」にし、一方、作動板９の連結棒１２を、前記磁性体の係止部の極性に対応して吸着する「磁性体連結棒」に置換しても作用・効果は均等である。
【産業上の利用可能性】
【００３７】
本発明は、主に建具や錠前の業界で利用される。
【図面の簡単な説明】
【００３８】
図１乃至図９は本発明の一例（物の発明と方法の発明）を示す各説明図。
【図１】内側座板を戸に固定した環境を示す概略説明図（施錠状態）。
【図２】主要部の分解説明図（物の発明と方法の発明とを兼用する説明図）。
【図３】主要部の分解斜視図。
【図４】室内側から内側座板を見た場合の説明図。
【図５】フロント板から見た場合の説明図。
【図６】内側座板を戸に固定する場合に説明図（物の発明と方法の発明とを兼用する説明図）。
【図７】施・解錠状態識別部材に関して合鍵で内側シリンダー錠を操作した場合の説明図。
【図８】施・解錠状態識別部材に関して室内側から操作した場合の説明図。
【図９】方法の発明の工程図。
【符号の説明】
【００３９】
Ｘ…錠前の内側座板の取付け構造、Ｙ…錠前の施・解錠状態確認装置、1…内側引戸、２…外側引戸、３…内側ケース部材、４…内側座板、５…外側ケース部材、７…内側シリンダー錠、８…施・解錠状態識別部材、９…作動板、１２…連結棒、１２Ａ磁性連結部…、１３…作動軸、１５…ケース本体、１４．１４Ａ…固着具用小孔、１６…内側フロント板、１６Ａ…外側フロント板、２８ａ〜２８ｅ…調整孔、２９…調整具、１８…一方の水平メネジ杆、１８Ａ…他方の水平メネジ杆、２１…第１固着具、２１Ａ…第２固着具、２２…収納空間、２３…表示窓、３０…嵌合突起、３１…識別標識部、３２…弾性係止部、Ｌ…水平ライン、Ａ…内側座板位置決め工程、Ｂ…内側ケース部材位置合わせ工程、Ｃ…内側座板仮止め工程、Ｄ…内側座板完全止め工程。
【図１】
2005307636.tif 000003
【図２】
2005307636.tif 000004
【図３】
2005307636.tif 000005
【図４】
2005307636.tif 000006
【図５】
2005307636.tif 000007
【図６】
2005307636.tif 000008
【図７】
2005307636.tif 000009
【図８】
2005307636.tif 000010
【図９】
2005307636.tif 000011